【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
ユーザ操作に応じて、画質調整パラメータを取得する取得手段と、
前記取得手段で取得された画質調整パラメータを変更する変更手段と、
前記変更手段による変更後の画質調整パラメータを用いた画質調整処理を入力画像データに施すことにより、処理画像データを生成する画質調整手段と、
前記入力画像データの階調特性を基準特性に変換する階調変換処理を前記処理画像データに施すことにより、出力画像データを生成する変換手段と、
を有し、
前記変更手段は、画質調整パラメータを変更するユーザ操作に応じた出力画像データの階調値の変化が、前記入力画像データの階調特性によらず、略一定になるように、前記取得手段で取得された画質調整パラメータを変更する
ことを特徴とする画像処理装置。
【請求項２】
前記変更手段は、前記変更手段による変更後の画質調整パラメータとして前記変更手段による変更前の画質調整パラメータと同じ値が得られる場合に比べて、前記変更手段による変更前の画質調整パラメータに対する前記変更手段による変更後の画質調整パラメータの比率である第１比率が第２比率に近づくように、前記取得手段で取得された画質調整パラメータを変更し、
前記第２比率は、前記変更手段による変更後の画質調整パラメータの代わりに前記取得手段で取得された画質調整パラメータを使用すると仮定した場合の、前記出力画像データの階調値に対する前記処理画像データの階調値の比率である
ことを特徴とする請求項１に記載の画像処理装置。
【請求項３】
前記変更手段は、前記取得手段で取得された画質調整パラメータに前記第２比率を乗算した値に、前記取得手段で取得された画質調整パラメータを変更する
ことを特徴とする請求項２に記載の画像処理装置。
【請求項４】
前記変更手段は、
前記入力画像データの階調特性に基づいて、前記入力画像データの取り得る複数の階調値にそれぞれ対応する複数の第２比率を取得し、
前記変更手段による変更後の画質調整パラメータとして前記変更手段による変更前の
画質調整パラメータと同じ値が得られる場合に比べて、前記複数の第２比率を代表する代表比率に前記第１比率が近づくように、前記取得手段で取得された画質調整パラメータを変更する
ことを特徴とする請求項２または３に記載の画像処理装置。
【請求項５】
前記代表比率は、前記複数の第２比率の平均値である
ことを特徴とする請求項４に記載の画像処理装置。
【請求項６】
前記入力画像データに基づいて、前記入力画像データの各画素の階調値を代表する代表階調値を決定する決定手段をさらに有し、
前記変更手段は、
前記決定手段で決定された代表階調値に対応する第２比率を取得し、
前記変更手段による変更後の画質調整パラメータとして前記変更手段による変更前の画質調整パラメータと同じ値が得られる場合に比べて、取得した第２比率に前記第１比率が近づくように、前記取得手段で取得された画質調整パラメータを変更する
ことを特徴とする請求項２または３に記載の画像処理装置。
【請求項７】
前記決定手段は、前記入力画像データの各画素の階調値の平均値を、前記代表階調値として決定する
ことを特徴とする請求項６に記載の画像処理装置。
【請求項８】
前記決定手段は、
前記入力画像データに基づいて、前記入力画像データの階調ヒストグラムを生成し、
前記階調ヒストグラムにおいて度数が最も大きいカテゴリに対応する階調値を、前記代表階調値として決定する
ことを特徴とする請求項６に記載の画像処理装置。
【請求項９】
前記画像処理パラメータは、ＡＳＣ  ＣＤＬで定義された種類の画質調整パラメータを含む
ことを特徴とする請求項１〜８のいずれか１項に記載の画像処理装置。
【請求項１０】
前記ＡＳＣ  ＣＤＬで定義された種類は、ＳＬＯＰＥ、ＰＯＷＥＲ、及び、ＯＦＦＳＥＴを含み、
前記変更手段は、
前記入力画像データが取り得る複数の階調値のうち第１階調範囲に属す階調値に対応する第２比率に基づく値に、前記ＳＬＯＰＥの画質調整パラメータを変更し、
前記入力画像データが取り得る複数の階調値のうち前記第１階調範囲よりも低階調側の第２階調範囲に属す階調値に対応する第２比率に基づく値に、前記ＰＯＷＥＲの画質調整パラメータを変更し、
前記入力画像データが取り得る複数の階調値のうち前記第２階調範囲よりも低階調側の第３階調範囲に属す階調値に対応する第２比率に基づく値に、前記ＯＦＦＳＥＴの画質調整パラメータを変更する
ことを特徴とする請求項９に記載の画像処理装置。
【請求項１１】
前記変更手段は、前記ＡＳＣ  ＣＤＬで定義された種類以外の種類の画質調整パラメータについては、画質調整パラメータを変更する処理を省略する
ことを特徴とする請求項９または１０に記載の画像処理装置。
【請求項１２】
ユーザ操作に応じて、画質調整パラメータを取得する取得ステップと、
前記取得ステップで取得された画質調整パラメータを変更する変更ステップと、
前記変更ステップによる変更後の画質調整パラメータを用いた画質調整処理を入力画像データに施すことにより、処理画像データを生成する画質調整ステップと、
前記入力画像データの階調特性を基準特性に変換する階調変換処理を前記処理画像データに施すことにより、出力画像データを生成する変換ステップと、
を有し、
前記変更ステップでは、画質調整パラメータを変更するユーザ操作に応じた出力画像データの階調値の変化が、前記入力画像データの階調特性によらず、略一定になるように、前記取得手段で取得された画質調整パラメータを変更する
ことを特徴とする画像処理方法。
【請求項１３】
前記変更ステップでは、前記変更ステップによる変更後の画質調整パラメータとして前記変更ステップによる変更前の画質調整パラメータと同じ値が得られる場合に比べて、前記変更ステップによる変更前の画質調整パラメータに対する前記変更ステップによる変更後の画質調整パラメータの比率である第１比率が第２比率に近づくように、前記取得ステップで取得された画質調整パラメータを変更し、
前記第２比率は、前記変更ステップによる変更後の画質調整パラメータの代わりに前記取得ステップで取得された画質調整パラメータを使用すると仮定した場合の、前記出力画像データの階調値に対する前記処理画像データの階調値の比率である
ことを特徴とする請求項１２に記載の画像処理方法。
【請求項１４】
前記変更ステップでは、前記取得ステップで取得された画質調整パラメータに前記第２比率を乗算した値に、前記取得ステップで取得された画質調整パラメータを変更する
ことを特徴とする請求項１３に記載の画像処理方法。
【請求項１５】
前記変更ステップでは、
前記入力画像データの階調特性に基づいて、前記入力画像データの取り得る複数の階調値にそれぞれ対応する複数の第２比率を取得し、
前記変更ステップによる変更後の画質調整パラメータとして前記変更ステップによる変更前の画質調整パラメータと同じ値が得られる場合に比べて、前記複数の第２比率を代表する代表比率に前記第１比率が近づくように、前記取得ステップで取得された画質調整パラメータを変更する
ことを特徴とする請求項１３または１４に記載の画像処理方法。
【請求項１６】
前記代表比率は、前記複数の第２比率の平均値である
ことを特徴とする請求項１５に記載の画像処理方法。
【請求項１７】
前記入力画像データに基づいて、前記入力画像データの各画素の階調値を代表する代表階調値を決定する決定ステップをさらに有し、
前記変更ステップでは、
前記決定ステップで決定された代表階調値に対応する第２比率を取得し、
前記変更ステップによる変更後の画質調整パラメータとして前記変更ステップによる変更前の画質調整パラメータと同じ値が得られる場合に比べて、取得した第２比率に前記第１比率が近づくように、前記取得ステップで取得された画質調整パラメータを変更することを特徴とする請求項１３または１４に記載の画像処理方法。
【請求項１８】
前記決定ステップでは、前記入力画像データの各画素の階調値の平均値を、前記代表階調値として決定する
ことを特徴とする請求項１７に記載の画像処理方法。
【請求項１９】
前記決定ステップでは、
前記入力画像データに基づいて、前記入力画像データの階調ヒストグラムを生成し、
前記階調ヒストグラムにおいて度数が最も大きいカテゴリに対応する階調値を、前記代表階調値として決定する
ことを特徴とする請求項１７に記載の画像処理方法。
【請求項２０】
前記画像処理パラメータは、ＡＳＣ  ＣＤＬで定義された種類の画質調整パラメータを含む
ことを特徴とする請求項１３〜１９のいずれか１項に記載の画像処理方法。
【請求項２１】
前記ＡＳＣ  ＣＤＬで定義された種類は、ＳＬＯＰＥ、ＰＯＷＥＲ、及び、ＯＦＦＳＥＴを含み、
前記変更ステップでは、
前記入力画像データが取り得る複数の階調値のうち第１階調範囲に属す階調値に対応する第２比率に基づく値に、前記ＳＬＯＰＥの画質調整パラメータを変更し、
前記入力画像データが取り得る複数の階調値のうち前記第１階調範囲よりも低階調側の第２階調範囲に属す階調値に対応する第２比率に基づく値に、前記ＰＯＷＥＲの画質調整パラメータを変更し、
前記入力画像データが取り得る複数の階調値のうち前記第２階調範囲よりも低階調側の第３階調範囲に属す階調値に対応する第２比率に基づく値に、前記ＯＦＦＳＥＴの画質調整パラメータを変更する
ことを特徴とする請求項２０に記載の画像処理方法。
【請求項２２】
前記変更ステップでは、前記ＡＳＣ  ＣＤＬで定義された種類以外の種類の画質調整パラメータについては、画質調整パラメータを変更する処理を省略する
ことを特徴とする請求項２０または２１に記載の画像処理方法。
【請求項２３】
請求項１３〜２２のいずれか１項に記載の画像処理方法の各ステップをコンピュータに実行させるためのプログラム。
【手続補正２】
【補正対象書類名】明細書
【補正対象項目名】００１３
【補正方法】変更
【補正の内容】
【００１３】
本発明の第１の態様は、
ユーザ操作に応じて、画質調整パラメータを取得する取得手段と、
前記取得手段で取得された画質調整パラメータを変更する変更手段と、
前記変更手段による変更後の画質調整パラメータを用いた画質調整処理を入力画像データに施すことにより、処理画像データを生成する画質調整手段と、
前記入力画像データの階調特性を基準特性に変換する階調変換処理を前記処理画像データに施すことにより、出力画像データを生成する変換手段と、
を有し、
前記変更手段は、画質調整パラメータを変更するユーザ操作に応じた出力画像データの階調値の変化が、前記入力画像データの階調特性によらず、略一定になるように、前記取得手段で取得された画質調整パラメータを変更する
ことを特徴とする画像処理装置である。
【手続補正３】
【補正対象書類名】明細書
【補正対象項目名】００１４
【補正方法】変更
【補正の内容】
【００１４】
本発明の第２の態様は、
ユーザ操作に応じて、画質調整パラメータを取得する取得ステップと、
前記取得ステップで取得された画質調整パラメータを変更する変更ステップと、
前記変更ステップによる変更後の画質調整パラメータを用いた画質調整処理を入力画像データに施すことにより、処理画像データを生成する画質調整ステップと、
前記入力画像データの階調特性を基準特性に変換する階調変換処理を前記処理画像データに施すことにより、出力画像データを生成する変換ステップと、
を有し、
前記変更ステップでは、画質調整パラメータを変更するユーザ操作に応じた出力画像データの階調値の変化が、前記入力画像データの階調特性によらず、略一定になるように、前記取得手段で取得された画質調整パラメータを変更する
ことを特徴とする画像処理方法である。
【手続補正４】
【補正対象書類名】明細書
【補正対象項目名】００１５
【補正方法】変更
【補正の内容】
【００１５】
本発明の第３の態様は、上述した画像処理方法の各ステップをコンピュータに実行させるためのプログラムである。